(57)【要約】【課題】接触片の取り付け及び取り外しを簡単に行うことができるマウント構造を提供する。【解決手段】光学機器が着脱自在に装着されるマウント面（１２ｂ）を有するマウント部（１２）と、当該マウント部に装着された前記光学機器の接点部（２６）と接触する第１接触部（３１）及び当該第１接触部と電気的に導通する第２接触部（３５）を有する接点ユニット（１５）と、前記接点ユニットを着脱自在に取り付け可能なマウント筐体（１３）と、前記接点ユニットの前記第２接触部と接触可能な位置に設けられた接片（１６）と、を備え、前記接点ユニットを前記マウント筐体に取り付けたときに、前記接点ユニットの前記第２接触部と前記接片とが接触し、前記接点ユニットを前記マウント筐体から取り外したときに、前記接点ユニットの前記第２接触部と前記接片との接触が解除される。【選択図】図２
2013174693.tif 000002
【特許請求の範囲】
【請求項１】
光学機器が着脱自在に装着されるマウント面を有するマウント部と、
当該マウント部に装着された前記光学機器の接点部と接触する第１接触部及び当該第１接触部と電気的に導通する第２接触部を有する接点ユニットと、
前記接点ユニットを着脱自在に取り付け可能なマウント筐体と、
前記接点ユニットの前記第２接触部と接触可能な位置に設けられた接片と、
を備え、
前記接点ユニットを前記マウント筐体に取り付けたときに、前記接点ユニットの前記第２接触部と前記接片とが接触し、前記接点ユニットを前記マウント筐体から取り外したときに、前記接点ユニットの前記第２接触部と前記接片との接触が解除されること、
を特徴とするマウント構造。
【請求項２】
請求項１に記載のマウント構造であって、
前記接片は、前記接点ユニットの前記第２接触部と接触する接片コンタクト部と、当該接片コンタクト部を前記接点ユニットの前記第２接触部の側に付勢するバネ部と、を備え、
前記接点ユニットを前記マウント筐体に取り付けたときに、前記接片の前記接片コンタクト部は、前記バネ部により前記接点ユニットの前記第２接触部に付勢された状態で接触すること、
を特徴とするマウント構造。
【請求項３】
請求項２に記載のマウント構造であって、
前記第２接触部は、前記接点ユニットにおいて、前記マウント部の前記マウント面と直交する側面に設けられ、
前記接片のバネ部は、前記接片コンタクト部を前記接点ユニットの前記側面に向けて付勢すること、
を特徴とするマウント構造。
【請求項４】
請求項２に記載のマウント構造であって、
前記第２接触部は、前記接点ユニットにおいて、前記マウント部の前記マウント面と平行する背面に設けられ、
前記接片のバネ部は、前記接片コンタクト部を前記接点ユニットの前記背面に向けて付勢すること、
を特徴とするマウント構造。
【請求項５】
請求項２に記載のマウント構造であって、
前記接点ユニットの前記第２接触部と前記接片の前記接片コンタクト部とは、前記マウント筐体の外周域において接触すること、
を特徴とするマウント構造。
【請求項６】
請求項１〜５のいずれか１項に記載のマウント構造であって、
前記接点ユニットの前記第１接触部は、前記マウント部前記マウント面に向けて摺動自在に付勢されていること、
を特徴とするマウント構造。
【請求項７】
請求項１〜６のいずれか１項に記載のマウント構造であって、
前記マウント部は、カメラボディに設けられたボディマウント部材であり、当該ボディマウント部材に前記光学機器としてのレンズ鏡筒が着脱自在に装着されること、
を特徴とするマウント構造。
【請求項８】
請求項１〜６のいずれか１項に記載のマウント構造であって、
前記マウント部は、レンズ鏡筒に設けられたレンズマウント部材であり、当該レンズマウント部材に前記光学機器としてのカメラボディが着脱自在に装着されること、
を特徴とするマウント構造。
【発明の詳細な説明】
【技術分野】
【０００１】
本発明は、レンズ交換式のカメラ等に用いられるマウント構造に関する。
【背景技術】
【０００２】
レンズ交換式のカメラでは、カメラボディに対してレンズ鏡筒を着脱自在に装着する方式として、主にバヨネットマウント方式が採用されている。バヨネットマウント方式によれば、カメラボディ側のマウント部とレンズ鏡筒側のマウント部とを簡単な操作で係合させることにより、カメラボディにレンズ鏡筒を装着することができる。カメラボディにレンズ鏡筒を装着すると、それぞれのマウント部に設けられた接触片（電気接点）が互いに導通する。これにより、カメラボディとレンズ鏡筒との間で電力の供給や各種電気信号の送受信が可能となる。このような電気的な接続を可能にするため、それぞれのマウント部に設けられた接触片には、ハンダ付けによりコードが接続されている（例えば、特許文献１参照）。
【先行技術文献】
【特許文献】
【０００３】
【特許文献１】特開平３−４２６４７号公報
【発明の概要】
【発明が解決しようとする課題】
【０００４】
上記特許文献１に記載されたマウント機構において、カメラボディやレンズ鏡筒に接触片を取り付ける際には、接触片にコードをハンダ付けする必要がある。また、カメラボディやレンズ鏡筒から接触片を取り外す際には、接触片とハンダ付けされたコードとを分離する必要がある。このため、組立や分解に手間と時間がかかる。これは、接触片とコードとをハンダ付けする場合に限らず、接触片とコードとをカシメ固定する場合も同じである。
【０００５】
一方、接触片に予めコードを取り付けた状態で、カメラボディやレンズ鏡筒に取り付けることも考えられる。しかし、この場合も、組立や分解に手間と時間がかかる。また、いずれの場合も、カメラボディやレンズ鏡筒から接触片を取り外す際には、カメラボディやレンズ鏡筒の少なくとも一部を分解する必要がある。
【０００６】
本発明の課題は、接触片の取り付け及び取り外しを簡単に行うことができるマウント構造を提供することにある。
【課題を解決するための手段】
【０００７】
本発明は、以下のような解決手段により前記課題を解決する。なお、理解を容易にするために、本発明の実施形態に対応する符号を付して説明するが、これに限定されるものではない。
請求項１の発明は、光学機器が着脱自在に装着されるマウント面（１２ｂ）を有するマウント部（１２）と、当該マウント部に装着された前記光学機器の接点部（２６）と接触する第１接触部（３１）及び当該第１接触部と電気的に導通する第２接触部（３５ｂ）を有する接点ユニット（１５）と、前記接点ユニットを着脱自在に取り付け可能なマウント筐体（１３）と、前記接点ユニットの前記第２接触部と接触可能な位置に設けられた接片（１６）と、を備え、前記接点ユニットを前記マウント筐体に取り付けたときに、前記接点ユニットの前記第２接触部と前記接片とが接触し、前記接点ユニットを前記マウント筐体から取り外したときに、前記接点ユニットの前記第２接触部と前記接片との接触が解除されること、を特徴とするマウント構造である。
請求項２の発明は、請求項１に記載のマウント構造であって、前記接片（１６）は、前記接点ユニット（１５）の前記第２接触部（３５ｂ）と接触する接片コンタクト部（１６ｂ）と、当該接片コンタクト部を前記接点ユニットの前記第２接触部の側に付勢するバネ部（１６ａ）と、を備え、前記接点ユニットを前記マウント筐体（１３）に取り付けたときに、前記接片の前記接片コンタクト部は、前記バネ部により前記接点ユニットの前記第２接触部に付勢された状態で接触すること、を特徴とするマウント構造である。
請求項３の発明は、請求項２に記載のマウント構造であって、前記第２接触部（３５ｂ）は、前記接点ユニット（１５）において、前記マウント部（１２）の前記マウント面（１２ｂ）と直交する側面に設けられ、前記接片（１６）のバネ部（１６ａ）は、前記接片コンタクト部（１６ｂ）を前記接点ユニットの前記側面に向けて付勢すること、を特徴とするマウント構造である。
請求項４の発明は、請求項２に記載のマウント構造であって、前記第２接触部（１３５ｂ）は、前記接点ユニット（１１５）において、前記マウント部（１２）の前記マウント面（１２ｂ）と平行する背面に設けられ、前記接片（１１６）のバネ部（１１６ａ）は、前記接片コンタクト部（１１６ｂ）を前記接点ユニットの前記背面に向けて付勢すること、を特徴とするマウント構造である。
請求項５の発明は、請求項２に記載のマウント構造であって、前記接点ユニット（２１５）の前記第２接触部（２３５ｂ）と前記接片（２１６）の前記接片コンタクト部（２１６ｂ）とは、前記マウント筐体（１３）の外周域において接触すること、を特徴とするマウント構造である。
請求項６の発明は、請求項１〜５のいずれか１項に記載のマウント構造であって、前記接点ユニット（１５）の前記第１接触部（３１）は、前記マウント部（１２）前記マウント面（１２ｂ）に向けて摺動自在に付勢されていること、を特徴とするマウント構造である。
請求項７の発明は、請求項１〜６のいずれか１項に記載のマウント構造であって、前記マウント部は、カメラボディ（１０）に設けられたボディマウント部材（１２）であり、当該ボディマウント部材に前記光学機器としてのレンズ鏡筒（２０）が着脱自在に装着されること、を特徴とするマウント構造である。
請求項８の発明は、請求項１〜６のいずれか１項に記載のマウント構造であって、前記マウント部は、レンズ鏡筒（２０）に設けられたレンズマウント部材（２３）であり、当該レンズマウント部材に前記光学機器としてのカメラボディ（１０）が着脱自在に装着されること、を特徴とするマウント構造である。
なお、符号を付して説明した構成は、適宜改良してもよく、また、少なくとも一部を他の構成物に代替してもよい。
【発明の効果】
【０００８】
本発明によれば、接触片の取り付け及び取り外しを簡単に行うことができるマウント構造を提供することができる。
【図面の簡単な説明】
【０００９】
【図１】第１実施形態に係るカメラ１の全体構成を示す斜視図である。
【図２】カメラボディ１０とレンズ鏡筒２０とを結合する前の状態を示す断面図である。
【図３】カメラボディ１０とレンズ鏡筒２０とを結合した状態を示す断面図である。
【図４】レンズ側接点ユニット２５の配置を示すレンズ鏡筒２０の背面図である。
【図５】ボディ側接点ユニット１５の斜視図である。
【図６】図５のＡ−Ａ線断面を示す断面図である。
【図７】図５のＢ矢視図である。
【図８】ボディ側接点ユニット１５をマウント台１３に取り付ける前の接片を示す断面図である。
【図９】ボディマウント１２の周辺を示す正面図である。
【図１０】ボディ側接点ユニット１５をマウント台１３に取り付けた状態を示す断面図である。
【図１１】第２実施形態におけるボディ側接点ユニット１１５をマウント台１３に取り付けた状態を示す断面図である。
【図１２】第３実施形態におけるボディ側接点ユニット２１５をマウント台１３に取り付けた状態を示す断面図である。
【発明を実施するための形態】
【００１０】
以下、図面を参照して、本発明に係るマウント構造の実施形態について説明する。ここでは、本発明に係るマウント構造を、カメラボディのマウント部に適用した場合について説明する。
【００１１】
なお、以下に示す各図面には、ＸＹＺの直交座標系を設けた。この座標系では、撮影者が光軸Ｌを水平として横長の画像を撮影する場合のカメラ位置（以下、「正位置」という）において、撮影者から見て左側に向かう方向をＸプラス方向とする。また、正位置において、上側に向かう方向をＹプラス方向とする。更に、正位置において、被写体に向かう方向をＺプラス方向とする。なお、それぞれの方向において、反対方向は、例えば、Ｘマイナス方向とする。また、断面図においては、細部等のハッチングを適宜に省略する。
【００１２】
（第１実施形態）
図１は、本実施形態に係るカメラ１の全体構成を示す斜視図である。図１に示すように、本実施形態に係るカメラ１は、カメラボディ１０と、光学機器としてのレンズ鏡筒２０と、を備える。本実施形態に係るカメラ１は、カメラボディ１０の内部に、レンズ鏡筒２０により形成された被写体像を撮像する撮像処理ユニット１４（図２参照）を備えたレンズ交換式のデジタルカメラである。なお、図１では、レリーズスイッチ、ダイヤル類、ボディ側接点ユニット１５（後述）等の図示を省略する。
【００１３】
カメラボディ１０は、ボディ本体１１と、ボディマウント１２と、を備える。ボディマウント１２は、レンズ鏡筒２０のレンズマウント２３（後述）と係合する円環状の部材である。ボディマウント１２は、光軸Ｌ方向において、被写体側（レンズ鏡筒２０側）に取り付けられている。
【００１４】
ボディマウント１２の内周側には、係合爪１２ａが３箇所に設けられている。係合爪１２ａは、ボディマウント１２とレンズマウント２３とを結合したときに、レンズマウント２３に設けられた係合爪２３ａ（後述）と係合する。また、ボディマウント１２には、ボディ側マウント面１２ｂが形成されている。ボディ側マウント面１２ｂは、ボディマウント１２とレンズマウント２３とを結合したときに、レンズマウント２３のレンズ側マウント面２３ｂ（後述）と当接する。
【００１５】
レンズ鏡筒２０は、鏡筒本体２１と、レンズ２２と、レンズマウント２３と、を備える。鏡筒本体２１は、内部にレンズ２２を収容した筐体である。レンズ２２は、被写体光を屈折させて被写体像を形成する光学部材である。レンズマウント２３は、ボディマウント１２と係合する円環状の部材である。レンズマウント２３は、レンズ鏡筒２０の光軸Ｌ方向において、反被写体側（カメラボディ１０側）の端部に設けられている。
【００１６】
レンズマウント２３の外周側には、係合爪２３ａが３箇所に設けられている。係合爪２２ａは、ボディマウント１２とレンズマウント２３とを結合したときに、ボディマウント１２に設けられた係合爪１２ａと係合する。また、レンズマウント２３には、レンズ側マウント面２３ｂ（図３参照）が形成されている。レンズ側マウント面２３ｂは、ボディマウント１２とレンズマウント２３とを結合したときに、ボディマウント１２のボディ側マウント面１２ｂと当接する。
【００１７】
本実施形態におけるボディマウント１２とレンズマウント２３とは、バヨネットマウント方式のマウント構造を構成する。ボディマウント１２とレンズマウント２３とを結合するには、レンズマウント２３の係合爪２３ａを、ボディマウント１２の係合爪１２ａにおける間隔位置（係合爪が配置されていない位置）に合わせて、レンズマウント２３とボディマウント１２とを密着させる。そして、レンズ鏡筒２０を、カメラボディ１０に対して光軸Ｌ回りに所定の方向に、所定の角度だけ回転させる。例えば、被写体側から見て、レンズ鏡筒２０をカメラボディ１０に対して反時計回りに回転させる。これにより、カメラボディ１０側の係合爪１２ａがレンズ鏡筒２０側の係合爪２３ａと機械的に係合（光軸Ｌ方向から見て略一致するように重なり合う）する。この係合により、カメラボディ１０にレンズ鏡筒２０が結合される。なお、ロック機構等については説明を省略する。
【００１８】
次に、本実施形態におけるカメラボディ１０とレンズ鏡筒２０の内部構成について説明する。図２は、カメラボディ１０とレンズ鏡筒２０とを結合する前の状態を示す断面図である。図３は、カメラボディ１０とレンズ鏡筒２０とを結合した状態を示す断面図である。図２及び図３は、光軸Ｌと直交するＹ軸に沿った縦断面図である。また、図４は、レンズ側接点ユニット２５の配置を示すレンズ鏡筒２０の背面図である。
【００１９】
図２に示すように、カメラボディ１０は、ボディ本体１１の内部に、マウント筐体としてのマウント台１３と、撮像処理ユニット１４と、ボディ側接点ユニット１５と、接片１６と、を備える。マウント台１３は、ボディマウント１２を支持する枠形の部材である。マウント台１３の中央には、レンズ鏡筒２０から入射した被写体光が通過する開口部１３ａが形成されている。また、マウント台１３の内側（ボディマウント１２側）には、ボディ側接点ユニット１５（後述）が取り付けられている。
【００２０】
撮像処理ユニット１４は、イメージセンサ、アナログ信号処理回路、デジタル信号処理回路、及びシステム制御回路（いずれも不図示）を備える。レンズ鏡筒２０から入射した被写体光は、イメージセンサで受光され、電気信号に変換される。その後、電気信号は、アナログ信号処理回路及びデジタル信号処理回路において各種の画像処理が施され、メモリーカード（不図示）等に保存される。また、撮像処理ユニット１４に内蔵されたシステム制御回路は、カメラボディ１０からレンズ鏡筒２０への電力の供給や各種電気信号の送受信を行い、レンズ鏡筒２０を駆動する。また、システム制御回路は、上述したイメージセンサや、アナログ信号処理回路及びデジタル信号処理回路の動作を制御する。
【００２１】
ボディ側接点ユニット１５は、ボディマウント１２に装着されたレンズ鏡筒２０のレンズ駆動ユニット２４（後述）と撮像処理ユニット１４との間を電気的に接続する部品である。ボディ側接点ユニット１５の両端部は、ネジ１８（図５参照）によりマウント台１３に固定される。
【００２２】
ボディ側接点ユニット１５の下方には、接片１６が取り付けられている。接片１６は、マウント台１３に固定されている。また、接片１６の一部（後述）は、マウント台１３の外周域（撮像処理ユニット１４側）に引き出され、リード線１７により撮像処理ユニット１４と電気的に接続されている。
【００２３】
本実施形態におけるマウント構造は、上述したボディマウント１２、マウント台１３、ボディ側接点ユニット１５及び接片１６により構成される。
【００２４】
一方、図２に示すように、レンズ鏡筒２０は、レンズ駆動ユニット２４と、レンズ側接点ユニット２５と、を備える。レンズ駆動ユニット２４は、レンズ２２に含まれる焦点調節用のレンズ群（符号略）を光軸Ｌ方向に駆動する。レンズ駆動ユニット２４は、鏡筒本体２１の内部に設けられている。
【００２５】
レンズ側接点ユニット２５は、レンズ鏡筒２０のレンズ駆動ユニット２４とカメラボディ１０の撮像処理ユニット１４との間を電気的に接続する部品である。図４に示すように、レンズ側接点ユニット２５のレンズマウント２３側には、複数のコンタクト部２６が設けられている。コンタクト部２６は、ボディ側接点ユニット１５の接点ピン３１（後述）と接触する部分である。レンズ側接点ユニット２５のコンタクト部２６及びボディ側接点ユニット１５１の接点ピン３１は、ボディマウント１２とレンズマウント２３とを結合した状態において、対応するコンタクト部２６と接点ピン３１とが互いに接触する位置に設けられている。
【００２６】
レンズ側接点ユニット２５は、レンズマウント２３の内周部に設けられている。レンズ駆動ユニット２４とレンズ側接点ユニット２５との間は、図２及び図３に示すように、リード線２７により電気的に接続されている。レンズ駆動ユニット２４とリード線２７及びレンズ側接点ユニット２５とリード線２７とは、例えば、ハンダ付けにより接続される。
【００２７】
上記のように構成されたカメラボディ１０とレンズ鏡筒２０とを結合すると、図３に示すように、ボディ側接点ユニット１５の接点ピン３１と、レンズ側接点ユニット２５のコンタクト部２６とが接触する。これにより、ボディ側接点ユニット１５とレンズ側接点ユニット２５との間が電気的に導通する。従って、カメラボディ１０とレンズ鏡筒２０とを結合することにより、レンズ鏡筒２０のレンズ駆動ユニット２４とカメラボディ１０の撮像処理ユニット１４との間が電気的に導通する。
【００２８】
次に、ボディ側接点ユニット１５の構造について説明する。図５は、ボディ側接点ユニット１５の斜視図である。図６は、図５のＡ−Ａ線断面を示す断面図である。図７は、図５のＢ矢視図である。
【００２９】
図５に示すように、ボディ側接点ユニット１５の全体は、略円弧状に形成されている。ボディ側接点ユニット１５は、８本の接点ピン３１を備える。接点ピン３１は、ボディマウント１２側（図中、Ｚプラス方向）に向けて突出している。本実施形態における接点ピン３１は、従来例における接触片に相当する。ボディ側接点ユニット１５は、２本のネジ１８によりマウント台１３（図２参照）に固定されている。
【００３０】
ボディ側接点ユニット１５は、図６に示すように、接点ピン３１と、ユニット本体３２と、バックパネル３３と、バネ３４と、コンタクト片３５と、を備える。ユニット本体３２は、断面が略箱枠形の部材である。ユニット本体３２には、接点ピン３１の先端部３１ａ（後述）が突出する複数の孔３２ａと、ネジ１８（図５参照）が貫通する２個の孔（不図示）が形成されている。バックパネル３３は、ユニット本体の背面側を塞ぐための板状の部材である。
【００３１】
接点ピン３１は、導電性部材により構成される。接点ピン３１は、図６に示すように、先端部３１ａと、バネ受け部３１ｂと、バネ装着部３１ｃと、を備える。先端部３１ａは、レンズ側接点ユニット２５のコンタクト部２６（図４参照）と接触する部分である。先端部３１ａの先端は、略半円形に丸められている。バネ受け部３１ｂは、バネ３４の付勢力を受け止める部分である。バネ装着部３１ｃは、バネ３４が挿入される部分である。
【００３２】
バネ３４は、長さ方向の両側に向けて付勢力を生じる付勢部材である。バネ３４は、導電性を有する金属により構成される。バネ３４は、図６に示すように、接点ピン３１のバネ受け部３１ｂをＺプラス方向に付勢する。このため、接点ピン３１は、ボディ側マウント面１２ｂ（図２参照）に向けて付勢された状態で、ユニット本体３２とバックパネル３３との間に収納されている。この状態において、接点ピン３１は、Ｚ（プラス／マイナス）に向けて摺動自在となる。また、バネ３４は、接点ピン３１のバネ受け部３１ｂとコンタクト片３５の片部３５ａ（後述）とにそれぞれ接触している。
【００３３】
コンタクト片３５は、略Ｌ字形に形成された導電性部材により構成される。コンタクト片３５の一方の片部３５ａは、バックパネル３３に沿って延出している。また、コンタクト片３５の他方の片部３５ｂは、ユニット本体３２とバックパネル３３との間に形成された貫通部３６から外部に引き出されている。
【００３４】
片部３５ｂは、図６及び図７に示すように、接点ピン３１の先端部３１ａと同じ方向（Ｚプラス方向）を向くように、片部３５ａに対して直角に折り曲げられている。すなわち、片部３５ｂは、ボディ側接点ユニット１５において、ボディマウント１２のボディ側マウント面１２ｂ（図２参照）と直交する側面に設けられる。なお、コンタクト片３５は、ユニット本体３２とバックパネル３３との間において、貫通部３６を介して挟まれることにより固定される。
【００３５】
上述したボディ側接点ユニット１５において、接点ピン３１は、Ｚプラス方向に付勢された状態でユニット本体３２とバックパネル３３との間に収納されている。そのため、接点ピン３１は、図６に示す位置からＺマイナス方向に押圧されると、バネ３４の付勢力に抗してＺマイナス方向へ移動する。
【００３６】
従って、図３に示すように、カメラボディ１０とレンズ鏡筒２０とを結合すると、ボディ側接点ユニット１５の接点ピン３１がレンズ側接点ユニット２５のコンタクト部２６に押圧された状態となる。この状態において、接点ピン３１は、バネ３４を介してコンタクト片３５と接触している。このため、カメラボディ１０とレンズ鏡筒２０とを結合することにより、ボディ側接点ユニット１５の接点ピン３１とレンズ側接点ユニット２５のコンタクト部２６とが電気的に導通する。
【００３７】
なお、接点ピン３１は、図２に示すように、カメラボディ１０とレンズ鏡筒２０との結合が解除されると、Ｚマイナス方向への押圧がなくなるため、バネ３４の付勢力によりＺプラス方向へ移動する。
【００３８】
次に、接片１６の構造について説明する。図８は、ボディ側接点ユニット１５をマウント台１３に取り付ける前の接片を示す断面図である。図９は、ボディマウント１２の周辺を示す正面図である。図１０は、ボディ側接点ユニット１５をマウント台１３に取り付けた状態を示す断面図である。
【００３９】
接片１６は、ボディ側接点ユニット１５のコンタクト片３５（片部３５ｂ）と接触する部品である。接片１６は、導電性を有する金属部材により構成される可動式の電極である。接片１６は、図８に示すように、バネ部１６ａと、接片コンタクト部１６ｂと、端部１６ｃと、を備える。
【００４０】
バネ部１６ａは、略Ｕ字形に形成された部分である。バネ部１６ａは、コンタクト片３５に押圧される方向と反対方向（ここではＹプラス方向）へ付勢力を発生する。接片コンタクト部１６ｂは、バネ部１６ａの先端に設けられている。接片コンタクト部１６ｂは、ボディ側接点ユニット１５のコンタクト片３５（片部３５ｂ）と接触する部分である。端部１６ｃは、マウント台１３に形成された貫通部１３ｂから外部に引き出されている。端部１６ｃは、リード線１７により撮像処理ユニット１４（図２参照）と電気的に接続されている。リード線１７は、例えば、ハンダ付けにより端部１６ｃに接続される。
【００４１】
接片１６は、図９に示すように、マウント台１３の内周面に沿って設けられている。各接片１６は、ボディ側接点ユニット１５をマウント台１３に取り付けたときに、ボディ側接点ユニット１５の対応するコンタクト片３５（図３参照）と接触する位置に設けられている。
【００４２】
組み立て時において、ボディ側接点ユニット１５をマウント台１３に取り付けると、図１０に示すように、接片１６のバネ部１６ａは、ボディ側接点ユニット１５のコンタクト片３５（片部３５ｂ）に押圧される。これにより、バネ部１６ａは、Ｙプラス方向に付勢力を生じる。このため、接片１６の接片コンタクト部１６ｂは、バネ部１６ａによりボディ側接点ユニット１５のコンタクト片３５（片部３５ｂ）に付勢された状態で接触する。この接触により、接片１６とボディ側接点ユニット１５のコンタクト片３５とが電気的に導通する。
【００４３】
また、分解時において、ボディ側接点ユニット１５をマウント台１３から取り外すと、接片１６の接片コンタクト部１６ｂとボディ側接点ユニット１５のコンタクト片３５との接触が解除される。これにより、接片１６とボディ側接点ユニット１５のコンタクト片３５とは電気的に非導通となる。
【００４４】
上述した第１実施形態のマウント構造によれば、以下の効果を奏する。
（１）組み立て時において、ボディ側接点ユニット１５をマウント台に取り付ける際に、接点ピン３１とリード線１７とをハンダ付けする必要がない。また、分解時において、ボディ側接点ユニット１５をマウント台から取り外す際に、リード線１７がハンダ付けされた部分を分離する必要がない。更に、分解時において、カメラボディ１０からボディ側接点ユニット１５を取り外す際に、カメラボディ１０及びレンズ鏡筒２０の一部を分解する必要がない。従って、接点ピン３１を有するボディ側接点ユニット１５の取り付け及び取り外しを簡単に行うことができる。
【００４５】
また、カメラボディ１０側の設計変更により配線の修正があった場合でも、ボディ側接点ユニット１５を変更する必要がない。
【００４６】
（２）組み立て時において、ボディ側接点ユニット１５をマウント台１３に取り付けると、接片１６の接片コンタクト部１６ｂは、バネ部１６ａによりボディ側接点ユニット１５のコンタクト片３５に付勢された状態で接触する。このため、接片１６とボディ側接点ユニット１５のコンタクト片３５とを確実に接触させることができる。
【００４７】
（３）コンタクト片３５の片部３５ｂは、ボディ側接点ユニット１５において、ボディマウント１２のボディ側マウント面１２ｂと直交する側面に設けられる。また、接片１６のバネ部１６ａは、接片コンタクト部１６ｂを、ユニット本体３２の前記側面に向けて付勢する。このため、接片１６とボディ側接点ユニット１５のコンタクト片３５との接触状態を外部から確認することができる。
【００４８】
（４）ボディ側接点ユニット１５の接点ピン３１は、ボディ側マウント面１２ｂに向けて摺動自在に付勢されている。このため、カメラボディ１０とレンズ鏡筒２０とを結合した状態において、ボディ側接点ユニット１５の接点ピン３１とレンズ側接点ユニット２５のコンタクト部２６とを確実に接触させることができる。
【００４９】
（第２実施形態）
次に、本発明に係るマウント構造の第２実施形態を、図面を参照しながら説明する。ここでは、第１実施形態との相違点についてのみ説明する。第２実施形態では、第１実施形態と同一（又は同等）部分に同一符号を付している。また、第１実施形態と重複する説明及び図示を適宜に省略する。
【００５０】
図１１は、第２実施形態におけるボディ側接点ユニット１１５をマウント台１３に取り付けた状態を示す断面図である。図１１は、第１実施形態の図１０に相当する。
【００５１】
図１１に示すように、ボディ側接点ユニット１１５において、コンタクト片１３５の片部１３５ｂは、マウント台１３に形成された貫通部１３ｃからマウント台１３の外部に引き出されている。コンタクト片１３５の片部１３５ｂは、ボディマウント１２のボディ側マウント面１２ｂ（図２参照）と平行する側面に設けられている。
【００５２】
コンタクト片１３５の片部１３５ｂは、第１実施形態の片部３５ｂに相当する。コンタクト片１３５において、ボディ側接点ユニット１１５の内部に位置する片部１３５ａは、第１実施形態の片部３５ａと同じ構成である。また、接点ピン３１等の構成も第１実施形態と同じであるため、図１１では、ボディ側接点ユニット１１５の内部構造を省略する。
【００５３】
接片１１６は、図１１に示すように、バネ部１１６ａと、接片コンタクト部１１６ｂと、端部１１６ｃと、を備える。バネ部１１６ａは、略Ｌ字形に形成された部分である。バネ部１１６ａは、Ｚマイナス方向へ付勢力を発生する。接片コンタクト部１１６ｂは、バネ部１１６ａの先端に設けられている。接片コンタクト部１１６ｂは、ボディ側接点ユニット１５のコンタクト片１３５（片部１３５ｂ）と接触する部分である。端部１１６ｃは、ボディ本体１１の底部（内側）に設けられている。端部１１６ｃは、リード線１７により撮像処理ユニット１４（図２参照）と電気的に接続されている。
【００５４】
上記構成によれば、組み立て時において、ボディ側接点ユニット１１５をマウント台１３に取り付けると、ボディ側接点ユニット１１５のコンタクト片１３５（片部１３５ｂ）は、マウント台１３の貫通部１３ｃからマウント台１３の外部に引き出される。接片１１６のバネ部１１６ａは、引き出されたコンタクト片１３５（片部１３５ｂ）に押圧される。これにより、バネ部１１６ａは、Ｚマイナス方向に付勢力を生じる。このため、接片１１６の接片コンタクト部１１６ｂは、バネ部１１６ａによりボディ側接点ユニット１１５のコンタクト片１３５に付勢された状態で接触する。この接触により、接片１１６とボディ側接点ユニット１１５のコンタクト片１３５（片部１３５ｂ）とが電気的に導通する。
【００５５】
また、分解時において、ボディ側接点ユニット１１５をマウント台１３から取り外すと、接片１１６の接片コンタクト部１１６ｂとボディ側接点ユニット１１５のコンタクト片１３５（片部１３５ｂ）との接触が解除される。これにより、接片１１６とボディ側接点ユニット１１５のコンタクト片１３５とは電気的に非導通となる。
【００５６】
上述した第２実施形態のマウント構造によれば、第１実施形態の（１）、（２）及び（４）と同様の効果を奏するほか、以下の効果を奏する。
（５）コンタクト片１３５の片部１３５ｂは、ボディ側接点ユニット１１５において、ボディマウント１２のボディ側マウント面１２ｂと平行する側面に設けられる。また、接片１１６のバネ部１１６ａは、接片コンタクト部１１６ｂを、ボディ側接点ユニット１１５の前記側面に向けて付勢する。このため、第１実施形態のマウント構造と比べて、カメラボディ１０の厚み（Ｚ方向の寸法）を小さくすることができる。また、コンタクト片１３５と接片１１６との接触部分が外部に露出しないので、外部から侵入した異物等による接触不良を抑制することができる。
【００５７】
（第３実施形態）
次に、本発明に係るマウント構造の第３実施形態を、図面を参照しながら説明する。ここでは、第２実施形態と同じく第１実施形態との相違点についてのみ説明する。第３実施形態では、第１実施形態と同一（又は同等）部分に同一符号を付している。また、第１実施形態と重複する説明及び図示を適宜に省略する。
【００５８】
図１２は、第３実施形態におけるボディ側接点ユニット２１５をマウント台１３に取り付けた状態示す断面図である。図１２は、第１実施形態の図１０に相当する。
【００５９】
図１２に示すように、ボディ側接点ユニット２１５において、コンタクト片２３５の片部２３５ｂは、マウント台１３の外周域に引き出されている。コンタクト片２３５の片部２３５ｂは、マウント台１３に形成された貫通部１３ｄからマウント台１３の外周域に引き出されている。
【００６０】
コンタクト片２３５の片部２３５ｂは、第１実施形態の片部３５ｂに相当する。コンタクト片２３５において、ボディ側接点ユニット２１５の内部に位置する片部２３５ａは、第１実施形態の片部３５ａと同じ構成である。また、接点ピン３１等の構成も第１実施形態と同じであるため、図１２では、ボディ側接点ユニット２１５の内部構造を省略する。
【００６１】
接片２１６は、バネ部２１６ａと、接片コンタクト部２１６ｂと、端部２１６ｃと、を備える。バネ部２１６ａは、略Ｕ字形に形成された部分である。バネ部２１６ａは、Ｙプラス方向へ付勢力を発生する。接片コンタクト部２１６ｂは、バネ部２１６ａの先端に設けられている。接片コンタクト部２１６ｂは、ボディ側接点ユニット２１５のコンタクト片２３５（片部２３５ｂ）と接触する部分である。端部２１６ｃは、マウント台１３の底部（内側）に設けられている。なお、接片２１６は、マウント台１３の一部を、撮像処理ユニット１４（図２参照）の側に張り出した部分に設けてもよい。接片２１６の端部２１６ｃは、リード線１７により撮像処理ユニット１４と電気的に接続されている。
【００６２】
上記構成によれば、組み立て時において、ボディ側接点ユニット２１５をマウント台１３に取り付けると、ボディ側接点ユニット２１５のコンタクト片２３５（片部２３５ｂ）は、マウント台１３の貫通部１３ｄからマウント台１３の外周域に引き出される。接片２１６のバネ部２１６ａは、外周域に引き出されたコンタクト片２３５（片部２３５ｂ）に押圧される。これにより、バネ部２１６ａは、Ｙプラス方向に付勢力を発生する。このため、接片２１６の接片コンタクト部２１６ｂは、バネ部２１６ａによりボディ側接点ユニット２１５のコンタクト片２３５（片部２３５ｂ）に付勢された状態で接触する。この接触により、接片２１６とボディ側接点ユニット２１５のコンタクト片２３５とが電気的に導通する。
【００６３】
また、分解時において、ボディ側接点ユニット２１５をマウント台１３から取り外すと、接片２１６の接片コンタクト部２１６ｂとボディ側接点ユニット２１５のコンタクト片２３５との接触が解除される。これにより、接片２１６とボディ側接点ユニット２１５のコンタクト片２３５とは電気的に非導通となる。
【００６４】
上述した第３実施形態のマウント構造によれば、第１実施形態の（１）、（２）及び（４）と同様の効果を奏するほか、以下の効果を奏する。
【００６５】
（６）コンタクト片２３５の片部２３５ｂは、マウント台１３の外周域に引き出される。また、接片２１６のバネ部２１６ａは、接片コンタクト部２１６ｂを、コンタクト片２３５の片部２３５ｂに向けて付勢する。このため、コンタクト片２３５と接片２１６との接触部分が外部に露出しないので、外部から侵入した異物等による接触不良を抑制することができる。また、ボディ側接点ユニット２１５をマウント台１３に取り付けたときに、ボディ側接点ユニット２１５の外部に引き出されたコンタクト片２３５を目立たなくすることができる。
【００６６】
（変形形態）
以上説明した実施形態に限定されることなく、本発明は以下に示すような種々の変形や変更が可能であり、それらも本発明の範囲内である。
【００６７】
（１）第１〜第３実施形態では、本発明に係るマウント構造をカメラボディのマウント部に適用した場合について説明した。これに限らず、本発明に係るマウント構造をレンズ鏡筒のマウント部に適用してもよい。
【００６８】
（２）第１〜第３実施形態では、ボディ側接点ユニット１５の接点ピン３１を摺動自在とする構成について説明した。これに限らず、レンズ鏡筒２０のコンタクト部２６を摺動自在とする構成としてもよい。
【００６９】
（３）第１〜第３実施形態では、接片１６を可動式とする構成について説明した。これに限らず、ボディ側接点ユニット１５のコンタクト片を可動式とする構成としてもよい。
【００７０】
（４）第１実施形態において、マウント台１３に溝部（凹部）を形成し、その溝部にボディ側接点ユニット１５を嵌め込む構成としてよい。このような構成とすることで、ボディ側接点ユニット１５の位置ずれ抑制しつつ、より確実にマウント台１３に固定することができる。第２実施形態のボディ側接点ユニット１１５及び第３実施形態のボディ側接点ユニット２１５についても同じである。
【００７１】
（５）第１〜第３実施形態では、デジタルカメラに限らず、デジタル一眼レフカメラ、レンズ交換式のビデオカメラ等にも適用することができる。
【００７２】
また、上記実施形態及び変形形態は適宜に組み合わせて用いることができるが、各実施形態の構成は図示と説明により明らかであるため、詳細な説明を省略する。更に、本発明は以上説明した実施形態によって限定されることはない。
【符号の説明】
【００７３】
１：カメラ、１０：カメラボディ、１２：ボディマウント、１２ｂ：ボディ側マウント面、１３：マウント台、１５：ボディ側接点ユニット、１６：接片、２０：レンズ鏡筒、２３：レンズマウント、２５：レンズ側接点ユニット、３１：接点ピン、３５：コンタクト片
【図１】
2013174693.tif 000003
【図２】
2013174693.tif 000004
【図３】
2013174693.tif 000005
【図４】
2013174693.tif 000006
【図５】
2013174693.tif 000007
【図６】
2013174693.tif 000008
【図７】
2013174693.tif 000009
【図８】
2013174693.tif 000010
【図９】
2013174693.tif 000011
【図１０】
2013174693.tif 000012
【図１１】
2013174693.tif 000013
【図１２】
2013174693.tif 000014